(57)【要約】      （修正有）【課題】無線通信システムにおいて、端末が制御メッセージに誤って応答することを防止可能な方法を提供する。【解決手段】キャリアアグリゲーションＣＡを採用しているLTE TDDにおいて、２ビットのシーケンス番号またはダウンリンク割り当てインディケータ（DAI）を、所与のサブフレームにおける連続するキャリア周波数の幾つか、またはすべての上で送信されるパケットに関するダウンリンク制御情報（DCI）メッセージに添付する。シーケンス番号は、所与のサブフレームにおいて送信されるDCIメッセージの総数が偶数か奇数により、各送信されるDCIに対して増加または減少する。これにより、任意の三つの連続するDCI（最後のDCIは含まない）の紛失を検出する。シーケンスにおける最後のDCIの紛失もまた、これ以上ビットを追加することなく検出する。【選択図】図５
2017028696.tif 000002
【特許請求の範囲】
【請求項１】
無線通信方法であって、
送信器において、
少なくとも一つの基準を満たし、かつ、シーケンスにおける受信器へ送信される制御メッセージの数を決定し、
シーケンス情報を前記シーケンスにおける各制御メッセージと関連付け、前記シーケンス情報は連続する制御メッセージ間で異なることを含み、
前記関連付けは、第１シーケンスにおいて制御メッセージと関連付けられている第１シーケンス情報が、前記第１シーケンスとは異なる制御メッセージ数を有する第２シーケンスにおいて制御メッセージと関連付けられている第２シーケンス情報と区別可能であるように前記制御メッセージの数を考慮する方法。
【請求項２】
前記受信器は複数のキャリアを介する無線通信に対して構成され、各制御メッセージはそれぞれのキャリアに関連する請求項１に記載の方法。
【請求項３】
前記決定において採用される前記少なくとも一つの基準は、
前記制御メッセージが、定義された時間ウインドウ内に送信される、
前記制御メッセージが、定義された時間ウインドウ内に受信される、
前記制御メッセージが、ダウンリンクスケジューリングに対してである、
前記制御メッセージが、特定のメッセージフォーマットで送信される、
前記制御メッセージが、特定のチャネルを介して送信される
ことの一つ以上を有する請求項１または２に記載の方法。
【請求項４】
無線通信は、それぞれが一続きのサブフレームから構成されているフレーム内でスケジューリングされ、前記少なくとも一つの基準は、前記制御メッセージが、同じサブフレームに関連するダウンリンクスケジューリングに対するものである請求項３に記載の方法。
【請求項５】
前記シーケンス情報は数値を含み、前記第１シーケンス情報は、前記数値のそれぞれの数列により、前記第２シーケンス情報から区別可能である請求項１〜４の何れか一項に記載の方法。
【請求項６】
前記第１および第２シーケンス情報の前記数列は、
SQI(i)=f(i,c) mod n 
で与えられ、
SQIは、前記シーケンス情報における数値であり、
iは、前記制御メッセージの前記シーケンスにおける前記制御メッセージを識別し、
cは、前記シーケンスにおける前記決定された制御メッセージの数であり、
f(i,c)は、iとcとの関数であり、
nは、前記シーケンス情報において可能な、前記異なる数値の数である請求項５に記載の方法。
【請求項７】
f(i,c)=i*(2*(c mod 2)-1)
であり、前記第１シーケンス情報は、一連の増加する数値を含み、前記第２シーケンス情報は、一連の減少する数値を含む請求項６に記載の方法。
【請求項８】
f(i,c)＝i*(2*(c mod 2)-1)+c mod 2
である請求項６に記載の方法。
【請求項９】
現在のサブフレームにおける第１の前記キャリアに対する前記シーケンス情報における前記数値は、前のサブフレームにおける前記キャリアに対する前記数値に関して増加され、前記現在のサブフレームにおける連続するキャリアに対する前記シーケンス情報の前記数値は、前記現在のサブフレームにおいてスケジューリングされる前記キャリアの数に従って増加または減少される請求項２、４、および５の組み合わせに記載の方法。
【請求項１０】
前記受信器は、前記制御メッセージのシーケンスが送信されることが意図されている前記サブフレームの数が奇数または偶数であるかについてを、
前記送信器による、前記サブフレームの数が奇数または偶数についての明示的信号通知、および
前記受信器が、何れのサブフレームがアップリンクに使用され、何れのサブフレームがダウンリンクに使用されるかのような、前記サブフレームの数が奇数または偶数であることを所与のキャリアのサブフレーム構成から推測する
ことの少なくとも一つにより認識する請求項９に記載の方法。
【請求項１１】
前記受信器において、
制御メッセージと、関連付けられたシーケンス情報とを前記送信器から受信し、
前記シーケンス情報に基づいて、前記シーケンスにおける少なくとも一つの制御メッセージが紛失したかどうか、および、幾つの制御メッセージが紛失したかを決定し、
前記決定を前記送信器に通知する、
ことを更に含む請求項１〜１０の何れか一項に記載の方法。
【請求項１２】
前記無線通信方法は、LTEに基づく無線通信システムに適用され、
前記無線通信システムにおいて、前記送信器は基地局であり、前記受信器は端末であり、
前記制御メッセージはダウンリンク制御情報であり、前記シーケンス情報はダウンリンク割り当てインデックスである請求項１〜１１の何れか一項に記載の方法。
【請求項１３】
受信器に制御メッセージを送信する無線送信器であって、
少なくとも一つの基準を満たし、かつ、シーケンスにおける前記受信器への送信のための制御メッセージの数を決定し、
シーケンス情報を前記シーケンスにおける各制御メッセージと関連付け、前記シーケンス情報は連続する制御メッセージ間で異なるよう構成され、
前記関連付けは、第１シーケンスにおいて制御メッセージと関連付けられている第１シーケンス情報が、前記第１シーケンスとは異なる制御メッセージ数を有する第２シーケンスにおいて制御メッセージと関連付けられている第２シーケンス情報から区別可能であるように前記制御メッセージの数を考慮する無線送信器。
【請求項１４】
無線受信器であって、
送信器から、少なくとも一つの基準を満たし、かつ、シーケンスにおいて前記受信器へ送信される制御メッセージの数を受信するよう構成され、
シーケンス情報は前記シーケンスにおける各制御メッセージと関連付けられ、前記シーケンス情報は連続する制御メッセージ間で異なり、
制御メッセージとの前記シーケンス情報の関連付けは、第１シーケンスにおいて制御メッセージと関連付けられている第１シーケンス情報が、前記第１シーケンスとは異なる制御メッセージ数を有する第２シーケンスにおいて制御メッセージと関連付けられている第２シーケンス情報から区別可能であるように前記制御メッセージの数を考慮する無線受信器。
【請求項１５】
請求項１３に記載の前記送信器と、請求項１４に記載の前記受信器と、を備えることを特徴とする無線通信システム。
【発明の詳細な説明】
【技術分野】
【０００１】
本発明は、例えば3GPP Long Term Evolusion（LTE（ロングタームエボリューション））および3GPP LTE-A標準グループに基づくシステムにおける無線通信方法に関し、より特別には、端末が制御メッセージに誤って応答することを防止可能な機構に関する。
【背景技術】
【０００２】
無線通信システムは広く知られており、このシステムにおいては、基地局（ＢＳ）が「セル」を形成し、ＢＳの範囲内で、端末（ユーザ機器（ＵＥ）または移動局とも呼ばれる）と通信する。
【０００３】
そのようなシステムにおいては、各ＢＳは所与のセルにおいて利用可能な帯域、つまり、周波数および時間リソースを、ＢＳがサービスを提供するユーザ機器に対する個々のリソース割り当てに分割する。ＵＥは一般的には移動可能であり、従ってセル間を移動でき、隣接するセルの基地局間の無線通信リンクのハンドオーバーに対する必要性を誘発する。ＵＥは幾つかのセルの範囲に同時に存在することができる（つまり、幾つかのセルから同時に信号を検出可能）。最も簡単なケースでは、LTEを例として使用すると、ＵＥは一つの「サービング」または「プライマリ」セル（PCell）と通信し、無線通信に必要な時間および周波数リソースを、専らそのPCellに依存する。しかし、ＵＥが利用可能なリソースを増やすためにPCellと、一つ以上のセカンダリセル（SCell）との両者と通信するようにＵＥを構成可能である。SCellは、キャリアアグリゲーション（下記を参照）を使用して、PCellとは異なるキャリア周波数で提供できる。
【０００４】
ＵＥが通信のために所与のセルの使用を開始するとき、何れかの他のＵＥによりすでに使用されているかいないかに拘わらず、そのセルがそのＵＥに対して「起動された」という。ＵＥに対して起動（または起動を停止）できるセルのセットは、システムにより構成される。通常はすべてのセルが、LTEにおけるエンハンストＮｏｄｅＢ（ｅＮＢ）のような、局所制御ノード（または、緊密に協働作業をする、複数のそのようなノード）により管理される必要がある。
【０００５】
キャリアアグリゲーション（Carrier Aggregation:CA）
ＵＥが利用可能なリソースを増やす技術には、LTE Release 10以来3GPPに導入された、いわゆるキャリアアグリゲーション（Carrier Aggregation:CA）が含まれる（ちなみに、LTE Release 10および、より上位のReleaseは、LTE-Advanced（LTE-A（LTE-アドバンスト））とも称される）。LTEに適用されるようなＣＡの詳細は、3GPP標準TS36.300に記載されており、その詳細はここにおいて参照文献として組み込まれる。ＣＡにおいては、異なるキャリア周波数における二つ以上のコンポーネントキャリア（Component Carrier:CC）が、100MHz（それぞれが、20MHzまでのキャリア周波数周囲の帯域を有している最大五つのＣＣにより構成される）までの、より広い送信帯域をサポートするためにアグリゲート（集約）される。ＵＥは、自身の能力により、一つまたは複数のＣＣ上で同時に受信または送信できる。「ＣＣ」と「キャリア」という用語は、以降は交換可能に使用される。
【０００６】
図１は、既知のLTEシステム（記述される本発明の実施の形態にも適用可能）の例を示しており、このシステムにおいては、ＵＥ１はキャリアアグリゲーションを使用し、ｅＮＢ１１は、キャリア周波数f1,f2,...fnにおいてセルを制御する。このケースにおいて各セルは、各セルに対するアップリンクとダウンリンクが同じ周波数である、時分割複信（TDD）動作により、異なる基地局２１、２２、．．．２ｎによりサポートされるように示されている。ここでの基地局はすべて、一つのｅＮＢにより制御されている。他の配置オプションとしては、すべてのセルが、ｅＮＢと共置できる、または、ｅＮＢの一部として含めることができる単一の基地局によりサポートされるケースが含まれる。下記では「基地局機器」という用語は、上記の単一の基地局、および非LTEシステムにおける等価な装置と共に、ｅＮＢの制御下にある別個の基地局を伴う、または伴わないｅＮＢを表すために使用される。
【０００７】
一般的には、一つのＣＣは一つのセルに対応し、セルと同様に、ＵＥによる通信に使用される各ＣＣは、そのＵＥに対して「起動される」。SCellは、起動および起動を停止できるが、PCellは、起動を停止することはできない。前述したように、「起動された」ＣＣと「構成された」ＣＣとの間には区別があるということには留意すべきである。ＣＣはＵＥに対して構成できるが、任意の所与の時間においては、必ずしも起動されるとは限らない。起動されるＣＣの数は、ＵＥの要請に適合可能であるが、数十または数百のサブフレームのタイムスケールにおいてのみである。ＵＥに対して構成されたＣＣにおける変化は、更に長いタイムスケールにおいて起こる。
【０００８】
周波数分割複信（FDD）動作においては、PCellは、異なる周波数における対応するダウンリンクキャリアとアップリンクキャリアを有している。これらのキャリアはそれぞれ、ダウンリンクプライマリコンポーネントキャリア（Downlink Primary Component Carrier:DL PCC）およびアップリンクプライマリコンポーネントキャリア（Uplink Primary Component Carrier:UL PCC）と記述可能である。SCellはダウンリンクキャリアを有しており、アップリンクキャリアもまた有することができる。ちなみに、異なるキャリア周波数は、常に異なるセルを意味するが、その逆は、必ずしも正しいとは限らない。単一のキャリア周波数は、一つ以上のセルをサポート可能である。
【０００９】
従って、ＣＡを使用するＵＥは、それぞれが各ＣＣに対するものである複数のサービングセルを有することができ、図１において例示されているように、異なるキャリア周波数を有する可能性があると共に、セルは異なる帯域を有することができる。一般的に各セルは、単一のサイトの基地局アンテナにより提供されるが、これは、一つのセルが、異なるサイトにおけるアンテナにより提供されるという可能性を排除するものではない。
【００１０】
フレーム構造
LTEのような無線通信システムにおいては、ダウンリンク上での送信のためのデータは、それぞれが多数のサブフレームに分割されたOFDMAフレームにおいて編成される。種々のフレームタイプが可能であり、例えば、FDDとTDDとの間で異なっている。LTEに対する一般的なフレーム構造においては、10msのフレーム持続時間は、0.5msの等しいサイズの２０のスロットに分割される。サブフレーム（または、送信時間間隔）は二つの連続するスロットから構成されているので、一つの無線フレームは、１０個のサブフレームを含んでいる。
【００１１】
各サブフレームに対して、新しいスケジューリングが、そのサブフレーム中に、何れのＵＥが何れの時間／周波数リソースに割り当てられるかについて決定される。スケジューリング決定は、異なるＵＥの無線リンク品質状況、全体の干渉状況、Quality of Service(QoS)必要条件、サービスプライオリティなどを考慮するスケジューリングアルゴリズムを使用して、ｅＮＢにおいて行われる。ｅＮＢは、そのスケジューリング決定を、下記に説明するような、いわゆるダウンリンク制御情報（DCI）を含む制御メッセージを送ることにより各ＵＥに通知する。
【００１２】
チャネル
LTEにおいては、データおよび制御信号通知(control signalling)のための幾つかのチャネルが、システム内の種々の抽象化レベルにおいて定義される。図２は、論理レベル、トランスポート層レベル、および物理層レベルのそれぞれにおいて、LTEで定義されたチャネルの幾つかと、それらのチャネル間のマッピングを示している。現在の目的のためには、物理層レベルにおけるチャネルが最も注目される。
【００１３】
ダウンリンク上においては、ユーザデータは物理ダウンリンク共有チャネル（Physical Downlink Shared Channel:PDSCH）上で搬送される。ダウンリンク上には、いわゆる無線リソース制御（Radio Resource Control:RRC）や、無線リソース管理（RRM）の一部として使用されるプロトコルを含む、種々の目的のための信号通知(signalling)を搬送する種々の制御チャネルがある。RRCのような、ダウンリンクにおける、より上位の層の信号通知は、典型的にはPDSCH上で搬送される。ダウンリンク物理層信号通知は、物理ダウンリンク制御チャネル（Physical Downlink Control Channel:PDCCH）またはエンハンスト(Enhanced)PDCCH(EPDCCH)（下記参照）により搬送される。
【００１４】
一方、アップリンク上では、ユーザデータ、および信号通知データの幾つかもまた、物理アップリンク共有チャネル（Physical Uplink Shared Channel:PUSCH）上で搬送される。PUSCH上での周波数ホッピングにより、周波数ダイバーシティ効果を利用可能であり、干渉を平均化可能である。制御チャネルには、例えば、チャネル品質表示（CQI）報告により表現されるチャネル状態情報（CSI）と、スケジューリング要求を含む信号通知をＵＥから搬送するために使用される物理アップリンク制御チャネル（Physical Uplink Control Channel:PUCCH）が含まれる。PUCCHが別に送信されるときに、もしPUSCH送信が起きると、PUCCH上で搬送される制御情報は、ユーザデータと共にPUSCH上で送信できる。同じＵＥからの、PUCCHとPUSCHの同時送信は、より上位の層により可能とされればサポートできる。
【００１５】
ＵＥと基地局との間の送信は、干渉のために送信エラーを起こし易いので、アップリンクおよびダウンリンク方向に送られた各パケットに対して、受信器により確認応答する手順が利用可能である。これは、ハイブリッド自動再送要求（Hybrid Automatic Repeat Request:HARQ）確認応答または否定的確認応答（ACK/NACK）を、制御チャネル上で送ることにより行われる。ダウンリンク上では、ACK/NACKは物理HARQインディケータチャネル（Pysical HARQ Indicator Channel:PHICH）上で送られる。アップリンク上では、ACK/NACKはPUCCH上で送られる（または、ユーザデータと共に、PUSCH上で送ることができる）。ACK/NACKの目的は、ｅＮＢに、各パケット（トランスポートブロック）が、ＵＥにより受信されたかどうかを通知することであるということが分かるであろう。もちろん、パケットの受信は、通常は、DCIのような種々の制御メッセージを含むパケットのコンテンツの受信もまた意味する。ACK/NACKに対する従来の報告手順は、3GPP TS36.213に定義されており、参照文献として組み込まれる。
【００１６】
一般的に言えば、上記のチャネルはそれぞれサブフレーム単位で送信できる。つまり、上記のチャネルは、幾つかの、またはすべてのサブフレームにおいて起こり得、自身が送信される各サブフレームにおいて、異なる信号通知データを搬送できる。
【００１７】
PDCCHおよびDCI
LTEにおいては、ＤＬおよびＵＬトラフィックチャネルが動的に共有されるチャネルであるため、ＤＬとＵＬの両者は、完全にスケジューリングされる。これは、PDCCHが、典型的には、何れのユーザが各サブフレームにおいて物理ＤＬ共有チャネル（PDSCH）を復号化すべきか、および、何れのユーザが各サブフレームにおいて物理ＵＬ共有チャネル（PUSCH）上での送信を可能とされるかを示すためのスケジューリング情報を含む制御メッセージを提供することを意味する。特に、PDCCHは、上記のダウンリンク制御情報（DCI）を、ｅＮＢから個々のＵＥに搬送するために使用される。従来は、一つのPDCCHメッセージ（後で言及される「制御メッセージ」の例）は、DCIの一つのアイテム（便利なように、下記においては「一つのDCI」と称する）を含んでいた。各DCIは、ＵＥに対して起動された特定のＣＣを示し、ＵＥは、DCIが何れのＣＣを示しているのかを、DCIが送られるＣＣから非明示的に、または、DCI内の信号通知ビットにより明示的に決定可能である。
【００１８】
このDCIは、一つの個々のＵＥに対して向けられることがよくあるが、幾つかのメッセージもまたブロードキャストされる（例えば、セル内の複数のＵＥに対して向けられる）。このため、PDCCHはまた、送信電力制御（Transmit Power Control:TPC）コマンドのような、ＵＥのグループに対して向けられる情報も含むことが可能である。加えて、PDCCHは、半固定スケジュール（SPS）を構成するために使用可能であり、同じリソースを定期的に利用可能である。下記においては、PDCCH、PDCCHメッセージ、DCI、およびDCIメッセージという用語は、状況により特に要請されない限り、交換可能に使用される。
【００１９】
このため、DCIは、下記で言及される「制御メッセージ」の一つの重要なタイプのコンテンツである。制御メッセージという用語は、PDCCH上で搬送されようと、他の方法（例えば、PDCCHと多くの類似性を有し、PDCCHの説明の多くもまた適用される、下記で記述されるEPDCCHを介して）であろうと、ＵＥへの制御信号通知を表すために使用される。
【００２０】
巡回冗長検査（CRC）は、DCIのエラー検出のために使用される。PDCCH全体のペイロード（パディングのような、如何なる他のビットをも含む）は、CRCパリティビットのセットを計算するために使用され、そのセットは、PDCCHペイロードの最後に添付される。異なるＵＥに関連する複数のPDCCHは、一つのサブフレームにおいて存在可能であるので、CRCはまた、所与のPDCCHが、どのＵＥと関連しているかを特定するためにも使用される。これは、CRCパリティビットを、ＵＥの無線ネットワーク一時識別子（RNTI）でスクランブルすることで行われる。種々の種類のRNTIがLTEにおいて定義されている。一つの例としてC-RNTIは、所与のＵＥがセルとのネットワークアクセス手順を行うことによりネットワークに接続することに成功した後に、ＵＥがその特定のセルにいる間に、そのＵＥにより使用される。
【００２１】
このため、対応するPDCCHコードワードに対するCRCが正しい場合は、ＵＥは適切なRNTIによるスクランブリングを考慮して、DCIメッセージを検出することに成功した考えることが可能である。DCIメッセージが正しく受信、または正しく受信されなかったどうかを、そしてこれに相応して、DCIメッセージが「検出された」と考えるべきか否かをＵＥが決定するための追加的な方法があり得るということは留意されるべきである。例えば、ＤＬ割り当てが、起動されていなキャリアに対して受信された場合、このDCIは、正しく受信されなかったと考えるべきであり、廃棄する。所与のPDCCHは、多数の所与の位置（すべての可能な位置の予め決定されているサブセットを備える検索空間）の何れか一つにおいて送信できる。ＵＥは、検索空間内の各可能な位置におけるPDCCHのブラインド復号化を試みる。
【００２２】
メッセージの異なるタイプはそれぞれ、異なるDCIフォーマットを使用して搬送される。多くのPDCCHメッセージは、それぞれが一つの特定のＵＥによってのみ受信されることが意図され、他のメッセージは、二つ以上のＵＥに対して向けられる。DCIのサイズは多数のファクタにより決まり、そのため、ＲＲＣ構成、またはPDCCHにより占有されるシンボルの数を信号通知するための別の手段により、ＵＥがDCIのサイズを知っておく必要がある。すでに記述したように、複数のＵＥのスケジューリングを同じサブフレーム内で行うことが可能であるため、従来は、複数のDCIメッセージは複数のPDCCHを使用して送られていた。
【００２３】
使用されるフォーマットは、制御メッセージの目的により決まる。例えば、DCIフォーマット１は、空間多重化が使用されないとき（つまり、スケジューリング情報が、一つの空間層のみを使用して送信される一つのコードワードに対して提供されるとき）は、ダウンリンク共有チャネルリソースの割り当てのために使用される。提供される情報により、ＵＥがリソースを識別し、そのサブフレームにおいてPDSCHをどこで受信すべきか、およびどのようにPDSCHを復号すべきかを識別することが可能となる。この種のDCIは、下記では「ＤＬ割り当て」と称され、本発明に特別に関連している。リソースブロック割り当てに加えて、これはまた、変調および符号化方式についての情報と、非受信データの再送信を管理するために使用されるハイブリッドARQプロトコルに関連する情報も含んでいる。DCIの別のタイプはアップリンクグラントであり、アップリンクグラントはＵＥに、PUSCHを使用してアップリンク上で送信するための許可を与える。
【００２４】
EPDCCH
LTE-Aにおいては、新たしい制御チャネル設計（EPDCCH）が提供され、EPDCCHはリソースを使用して、ダウンリンクデータと類似の方法でDCIメッセージを送信する（つまり、PDSCHと同様）。EPDCCHは、システムの必要条件により、周波数局在化または周波数分散型の方法の何れかにおいて送信できる。局在化送信は、チャネル／干渉特性が周波数選択性のときは適切であり、その場合は、DCIメッセージを所与のＵＥに対して、周波数ドメインにおける好ましい位置において送信可能である。他の場合は、例えば、ｅＮＢにおいて周波数選択性チャネル情報が利用可能でないときは、分散型送信（PDCCHの送信方法に対応する）が適切である。
【００２５】
分散型EPDCCHに対する設計は、多くの点に関してPDCCHに類似している。つまり、幾つかのリソースが分散型EPDCCHに対して構成され、ＵＥは、それらのリソース内にブラインド復号化検索空間を有し、所与のDCIメッセージは、周波数ドメイン全体にわたって所与の広がりを有するリソースのセットを使用する。
【００２６】
ＣＡにおけるチャネル
LTEにおいて定義されている、より重要なチャネルの幾つかの概要を記述したので、ここでは図３を使用して、ＣＡのシナリオにおけるセル／ＣＣとの関係を記述可能である。
【００２７】
図３に示されているように、PCell（DL PCC）は、ＵＥにPDCCHを送信可能である。SCellはＵＥの機能により、対応するDL SCC上で、ＵＥにPDCCHを提供できる（または提供しなくてもよい）。しかし、PUSCH上のアップリンクデータは、必要な機能を有するＵＥによりPCellとSCellの両者上で送信可能である。これに相応して、各セルに対して、別個のトランスポートチャネルＵＬ−ＳＣＨがある。Release 11を含むRelease 11までのLTEに対しては、アップリンク制御チャネル（PUCCH）は、PCell（UL PCC）上でのみ送信される。同様に、スケジューリング要求に対するPRACHは、PCell上でのみ送信される。しかし、これらの制限は、将来のReleaseにおいては適用されないであろう。
【００２８】
SCellが、ＵＥに対してPDCCHを搬送するようには構成されていないときは、これは、そのセルに対するスケジューリング情報は、別のセル（通常は、PCell）のPDCCHにおいて搬送しなければならないこと、いわゆるクロスキャリアスケジューリングを意味する。PCellとSCellは、同一または非常に類似する送信タイミングを有するべきで、それにより例えば、一つのセル上のPDCCHが、異なるセル上のリソースのスケジューリングを行うこと、およびSCell上のPDSCH送信に対するACK/NACKをPCell上で送ることが可能になる。SCellは、セルが異なる地理的サイトにおけるアンテナによりサポートされる可能性を可能にするために、ＵＥにおいてわずかに異なる送信タイミングを有することができる。PCell上のPUCCHとSCell上のPDSCHとの間の厳しいタイミング同期必要条件のため、PCellとSCellは、同じｅＮＢにより制御されると仮定することが可能である。
【００２９】
ダウンリンク割り当てインデックス（DAI）
ＣＡは、FDD（少なくともPCellが、異なるキャリア周波数上でダウンリンクとアップリンクを有しているが、SCellは、使用されているダウンリンクまたはアップリンクのみしか有することができない）とTDD（PCellまたはSCellに対するアップリンクおよびダウンリンクが同じキャリア周波数上にある）の両者に対して構成可能である。LTE TDDにおいては、二つ以上のサブフレームにおいて受信されたコードワードに対するACK/NACKは、同じアップリンクメッセージにおいて（従って、単一サブフレーム内で）送ることが可能である。これは、一つのサブフレームにおいて、ＵＥに対して構成されるＣＣの数に従って固定されている、ビットの総数を超える数の送るべきACK/NACKがあることが可能であることを意味している。
【００３０】
そのような場合においては、いわゆるダウンリンク割り当てインデックス（DAI）を、ACK/NACKの「バンドリング」に対して使用でき、所与のACK/NACKビットは、複数のコードワードが正しく受信されたこと（または、されなかったこと）、そしてそれにより、それらのコードワードに含まれる（例えば）何れのDCIも正しく受信されたこと（または、されなかったこと）を示すために使用される。ＵＥとｅＮＢは、このバンドリングがどのように行われたかについての共通の理解を有しており、それにより、ｅＮＢは、何れのトランスポートブロック（および、対応するDCI）が、各ビットにより確認応答されているかを知る。従来は、何れのＣＣが実際に使用されているかに拘わりなく、すべての構成されたＣＣに対するACK/NACKを可能にする方法でバンドリングが行われていた。このバンドリング手順が有益となるためには、PDSCH上のデータパケットが正しく受信されない確率が十分に低くなくてはならない（例えば、10％以下）ということが分かるであろう。
【００３１】
TDDにおいては、ＣＣに対するＤＬ割り当て（DCI）は典型的には、２ビットのDAIフィールドを含んでおり（3GPP TS 36.213、第7.3.2.1節の、TDD HARQ-ACK reporting procedure for same UL/DL configuration（同じUL/DL構成に対するTDD HARQ-ACK報告手順）参照）、このDAIフィールドは、そのＣＣに対して送信された連続するDCIごとに増加される。DAIのこの増加は、何れかのDCIが紛失したかどうかをＵＥが検出することを支援する（つまり、所与のDCIに対するDAIフィールドが、そのキャリアに対する前のDCIメッセージと比較して、予期される量を超えて増加されていた場合は、ＵＥは、少なくとも一つの介在するDCIメッセージが紛失したこと、または他の種類のエラーが起きたことを推測可能である）。ＵＥが、順序が違うDAIを有するDCIを検出した場合は、ＵＥは、少なくとも一つのDCIメッセージが紛失したこと、またはDCIメッセージが誤って検出されたことを知る。これによりＵＥが、対応するACK/NACK送信を破棄することを可能にし、ｅＮＢが、ACK/NACKバンドルを誤って解釈することを回避する。これは、LTEにおいて現在指定されている動作である。代替的に、ＤＬ割り当ての一つ以上が紛失した場合でも、ＵＥは、紛失したDCIに対応するACK/NACKビットを「NACK」に設定可能である。バンドリングの後、ACK/NACKの各ビットは二つ以上のトランスポートブロックを示し、それにより、一つのトランスポートブロックがエラー受信された場合（または、対応するDCIが紛失した場合）は、たとえ、他のトランスポートブロックが正しく受信されたとしても、対応するビットをNACKに設定すべきであるということが分かるであろう。
【００３２】
DCIに含まれることに加えて、ＤＡＩは、ＵＬグラントにおいて搬送することも可能であり、これによりロバスト性が追加される。
【００３３】
LTE FDDにおいては、データが受信されるサブフレームと、ACK/NACKが送信されるサブフレームとの間の１対１マッピングがあるため、現在は、DAIを採用する必要はない。しかし、この制限が将来適用されなくなった場合は、DAIもまたTDDと類似の方法でFDDに対して適用可能である。
【００３４】
上記のことをまとめると、LTE-Aにおいては、二つのダウンリンク制御チャネル（PDCCHとEPDCCH）が定義され、ＵＥに制御メッセージを送信するために使用可能である。典型的には、制御メッセージはDCI（Downlink Control Information（ダウンリンク制御情報））を含み、リソースおよび、PDSCH上のネットワークからのダウンリンクデータ送信（「ＤＬ割り当て」）、または、PUSCH上でＵＥにより行うことが可能なアップリンクデータ送信に関する他の情報を示すために使用される。通常は、一つのDCIは、一つのＵＥ、一つのキャリア周波数、および一つのサブフレームに関連する。
【００３５】
典型的には、ＵＥは、すべてのダウンリンクサブフレームにおいて、多数の異なる候補メッセージを受信することを試みるように構成されており、この異なる候補メッセージは制御チャネル上で送信でき、通常は、各候補は異なる制御チャネルリソースと関連付けられている。ＵＥは、ＣＲＣをチェックし、特定の識別表示（例えば、CRNTIの特定の値）の存在により、受信者が意図された受信者であることを確認することにより、メッセージ（コードワード）の正しい受信を検出可能である。ＵＥがアップリンクグラントを検出した場合は、ＵＥは、PUSCH上の対応する送信を行う。ＵＥがダウンリンク割り当てを検出した場合は、ＵＥは、PDSCH上の対応するダウンリンク送信を復号化することを試み、適切なようにACKまたはNACKを、典型的にはアップリンク制御チャネル（PUCCH）上で送る。PUSCHがアップリンク上で送信される場合は、ACK/NACKもまた、PUCCHではなく、PUSCH上で送ることができる。
【００３６】
キャリアアグリゲーション（ＣＡ）においては、異なる周波数において複数のキャリアを端末に対して構成でき（より上位レベルのRRC信号通知を介して）、これらのキャリアは、より上位のMAC信号通知により起動、または起動を停止できる。従って、各起動されたキャリアに対して、制御メッセージ候補のセットを検索することをＵＥに要求できる。一つのキャリアは固定的に起動され（プライマリセル、PCell）、他の構成されたキャリアは起動、または起動を停止することができる（セカンダリセル、SCell）。LTEにおいては、PCellおよびSCellは同じｅＮＢにより制御され、リソースは同じｅＮＢによりスケジューリングされる。多入力多出力（multiple input multiple output:MIMO）アンテナ技術を使用して、二つ以上のデータコードワードを、ＵＥに同じ時間／周波数リソースを使用して送るために空間多重化を使用可能である。LTEにおいては、コードワードが空間多重化、または複数のキャリア上、またはその両者で送られたとしても、同時に（同じサブフレームで）受信された複数のコードワードに対する複数のACK/NACKを、同じアップリンクメッセージにおいて送信可能である。
【００３７】
所与のサブフレームにおけるPDSCH送信を示す複数のＤＬ割り当ての場合、ＵＥは、PCell上で対応するACK/NACKを送信することにより、受信に対して確認応答する。一つのサブフレーム当たりに生成されるACK/NACKビットの数は、構成されたＣＣの数、および、各ＣＣ上で同時に受信できるトランスポートブロック（つまり、データコードワードまたはパケット）の最大数に従って固定されている。LTEにおいて現在では、所与のメッセージフォーマットを使用して送信されるACK/NACKビットの数は、ＵＥに対して起動されたＣＣの数、または受信されたコードワードの数により決まることはないが、そのような可能性が3GPPにより考察された。
【００３８】
LTEにおけるダウンリンク制御メッセージ（それらのスケジューリングダウンリンク送信のようなもの）は、DCI（Downlink Control Information（ダウンリンク制御情報））を含んでいると考えられる。所与のキャリアに対するリソースのDCIスケジューリングは、同じキャリア上（「セルフスケジューリング」）、または異なるキャリア上（「クロスキャリアスケジューリング」）で送信できる。LTEにおいては、ＵＥがDCIメッセージを紛失する（つまり、そのＵＥに向けられたDCIメッセージの検出および復号化に失敗する）確率が相当に高いということに留意されたい。
【００３９】
LTE TDDにおいては、二つ以上のサブフレームにおいて受信されたコードワードに対するACK/NACKは、同じアップリンクメッセージにおいて送ることが可能である。これは、起動または構成されたＣＣ上で送ることが可能なトランスポートブロックの数に対応する総数よりも多くの、一つのサブフレームにおいて送るべきACK/NACKがあることが可能であることを意味している。そのような場合においては、いわゆるダウンリンク割り当て情報（DAI）を、ACK/NACKの「バンドリング」に使用でき、所与のACK/NACKビットが、複数のコードワードの正しい受信（または正しくない受信）を示すために使用される。
【００４０】
２ビットのDAIフィールドに対しては、各連続するDCIに対して増加されるカウンタとして操作され、そして、最大三つの連続する紛失DCIメッセージが正しく検出可能である（つまり、紛失メッセージがあるという事実、および最大三つまでの紛失メッセージの数を決定可能である）。ＤＬ割り当てのシーケンスにおける最後のDCIが紛失した場合は潜在的な不明確さが知られているが、それは、この紛失が（ＵＬグラントにおけるDAIのような追加的情報がない場合は）ＤＬ割り当てにおけるDCIのシーケンスを調べることによっては検出することが可能でないためである。これは、ＵＥが起動されたＣＣに対するDCIを予期するだけで、すべての起動されたＣＣが、すべてのサブフレームにおいてDCIを有するわけではないからである（例えば、ＵＥへの送信のためのデータの一時的な不足がある場合）。
【００４１】
3GPP RAN1は現在、サポートされるキャリアの最大数が５から３２に増加されるＣＡの拡張を検討中である。
【００４２】
PDSCHがＵＥに送信される各ＣＣに対しては、各ＤＬ割り当ては対応するDCIメッセージにより示される。多数の構成されたＣＣ（つまり、六つ以上のＣＣ）に対しては、過剰な送信オーバーヘッドを回避するために、実際に送信されるACK/NACKビット数は、ＵＥに対して構成されたＣＣの数（これは、最大５ＣＣまでの現在のケース）ではなく、ＤＬ割り当てを含むDCIメッセージの数（つまり、実際に使用されるＣＣの数）に基づくことが好ましい。
【００４３】
しかし、六つ以上のＣＣに対して典型的に考えられるソリューションに対しては、ｅＮＢが、UE ACK/NACK送信を正しく解釈することを可能にするために、ｅＮＢとＵＥの両者が、送信されたDCIの数（これは、ＵＥにより検出されたDCI数とは異なる可能性がある）についての同じ理解を有することが好ましい。DCIメッセージの紛失の確率に対する設計目標は１％未満であるが、幾つかの場合においては、その確率が、より高いこともあり得る。そのため特にＤＬにおいて、所与のＵＥに対して多数のＣＣが使用されるときは、対応するDCIメッセージの少なくとも一つが所与のサブフレームにおいて紛失する確率は、かなり大きくなる可能性がある。ACK/NACKビット（少なくとも、少数のＣＣより多いＣＣに対するACK/NACKビット）は単一のメッセージにおいて送られるので、DCIの紛失が検出されない場合は、これはACK/NACKビットの多くまたはすべての正しくない受信、または誤った解釈という結果になる可能性がある。その結果これは、正しく受信されたDCIを有するＣＣに対してさえ、これが要求されていないトランスポートブロックの再送信、またはそれが要求されているのに再送信されないということに繋がる可能性があり、データのスループットおよびシステムの性能に結果としての影響を与える。
【００４４】
ｅＮＢとＵＥの両者が、送信されるACK/NACKビットの数を知っているということに加えて、バンドリングの後に、ACKを示しているビットを、一つ以上の正しく受信されたトランスポートブロックに関連付ける（例えば、ACK/NACKメッセージにおける、対応する情報ビットへの正しいマッピングにより）こともまた必要である。これは、紛失したDCIの数と共に、紛失したDCIの識別に関する何らかの情報もまたＵＥにおいて必要であることを意味する。
【００４５】
送信すべきACK/NACKビットの数と識別についての、ｅＮＢとＵＥとの間の共通の理解を達成する問題に対する、現在までに提案されているソリューションは、下記を含む。
【００４６】
＊  ＵＥによるACK/NACK報告の原則として、構成されたＣＣの数を使用する（現在のLTEにおける場合のように）。この数は、半静的RRC信号通知により変更可能であるが、ビデオなどを流し始めるときのような、ＵＥの要請に起因するデータレートにおける速い変化に適合するために十分なほど速くはない。
【００４７】
＊  構成されたＣＣの数の代わりに、起動されたＣＣの数を使用する。これは、構成されたＣＣの数よりも、より速く変更可能（MAC信号通知を使用して）であるが、依然として、一つのサブフレームから次のサブフレームへ相当に変化する可能性のあるデータレートにおける変化に追従するのに十分なほどは速くはない。
【００４８】
＊  ＵＥに、明示的な表示（例えば、所与のサブフレームにおいてＤＬ割り当てを搬送するDCIを有するＣＣの数および／またはＣＣの識別）を送る。これは、一つのサブフレーム当たりの特殊DCIメッセージ（例えば、使用されているＣＣのビットマップを有する）を使用して可能であるが、信号通知オーバーヘッドが増大する。
【００４９】
＊ＵＥに、送られるACK/NACKビットの数、および／または、使用されるメッセージフォーマットの明示的な表示を送る。これは、一つのサブフレーム当たりの特殊DCIメッセージを使用して行うことが可能であるが、これもまた信号通知オーバーヘッドを増大する。
【００５０】
上記のソリューションのうち欠点がないものは一つもない。従って、ＣＡにおける使用のために、現在のDAIの方式を改良する必要がある。より一般的には、制御メッセージのシーケンス内で一つ以上の制御メッセージが紛失しているということを端末が検出し、その旨を基地局に通知し、および／または、適切なＵＥの動作を可能にするために端末の機能を改良する必要がある。
【発明の概要】
【００５１】
本発明の第１態様によれば、無線通信方法が提供され、方法は、
送信器において、
少なくとも一つの基準を満たし、かつ、シーケンスにおける受信器への送信のための制御メッセージの数を決定し、
シーケンス情報をシーケンスにおける各制御メッセージと関連付け、シーケンス情報は連続する制御メッセージ間で異なることを含み、
関連付けは、第１シーケンスにおいて制御メッセージと関連付けられている第１シーケンス情報が、前記第１シーケンスとは異なる制御メッセージ数を有する第２シーケンスにおいて制御メッセージと関連付けられている第２シーケンス情報と区別可能なように、制御メッセージの数を考慮する。
【００５２】
「少なくとも一つの基準を満たす」ことにより、制御メッセージは、例えばダウンリンク制御情報のような特定のタイプの制御メッセージとして、本発明の目的のためにともに考慮することが可能である。制御メッセージのシーケンスは受信器に送信される。
【００５３】
ここで「関連付け」とは、シーケンス情報もまた受信器に送信されることを意味し、これは通常は、必ずしもそうではないが（または、必ずしも排他的ではないが）、制御メッセージに添付されることにより送信される。
【００５４】
「シーケンス情報」は例えば番号であり、連続する制御メッセージ間で異なることにより（異なる値を取ることにより）、シーケンス内の制御メッセージの位置の表示を提供する。
【００５５】
好ましくは、受信器は複数のキャリアを介する無線通信に対して構成され、各制御メッセージはそれぞれのキャリアに関する。
【００５６】
決定することは、下記の基準の何れか一つ以上を満たす制御メッセージを決定することを含むことができ、下記の基準とは、
定義された時間ウインドウ内に送信される、
定義された時間ウインドウ内に受信される、
ダウンリンクスケジューリングに対してである、
特定のメッセージフォーマットで送信される、
特定のチャネルを介して送信される
ということである。
【００５７】
制御メッセージが、ダウンリンクスケジューリングに対してである場合であって、無線通信のスケジューリングが、それぞれが一続きのサブフレームから構成されているフレーム内で行われるときは、ダウンリンクスケジューリングは、好ましくは、同じサブフレームに関する。
【００５８】
上記に定義したような何れの方法においても、各シーケンスにおいて、各シーケンスの連続する制御メッセージは、時間ドメインまたは周波数ドメインの何れかにおいて連続であってよい。
【００５９】
好ましくは、第１シーケンスは奇数個の制御メッセージを含み、第２シーケンスは偶数個の制御メッセージを含んでいる。
【００６０】
シーケンス情報は数値を備えることができ、第１シーケンス情報は、数値のそれぞれの数列により、第２シーケンス情報から区別可能である。
【００６１】
この場合、好ましくは、第１および第２シーケンス情報の数列は、
SQI(i)＝f(i,c) mod n
で与えられ、
SQIは、シーケンス情報における数値であり、
iは、制御メッセージのシーケンスにおける制御メッセージを識別し、
cは、シーケンスにおける決定された制御メッセージの数であり、
f(i,c)は、iとcとの関数であり、
nは、シーケンス情報において可能な、異なる数値の数である。
【００６２】
より具体的な実施の形態においては、
f(i,c)=i*(2*(c mod 2)-1)
であり、第１シーケンス情報は一連の増加する数値を含み、第２シーケンス情報は一連の減少する数値を含む。
【００６３】
代替的に、別の実施の形態においては、f(i,c)は
f(i,c)=i*(2*(c mod 2)-1)+c mod 2
で与えられる。
【００６４】
好ましくは、各制御メッセージがそれぞれのキャリアに関し、制御メッセージが、区別可能な数列を備える第１および第２シーケンスの同じサブフレームにおけるダウンリンクスケジューリングに対してである場合は、現在のサブフレームにおける第１のキャリアに対するシーケンス情報における数値は、前のサブフレームにおけるそのキャリアに対する数値に関して増加され、現在のサブフレームにおける連続するキャリアに対するシーケンス情報の数値は、現在のサブフレームにおいてスケジューリングされるキャリアの数に従って、増加または減少される。
【００６５】
上記に言及した何れの方法も、
受信器において、
制御メッセージと、関連付けられたシーケンス情報とを送信器から受信し、
シーケンス情報に基づいて、シーケンスにおける少なくとも一つの制御メッセージが紛失したかどうか、および幾つの制御メッセージが紛失したかを決定し、
その決定を送信器に通知することを更に含んでもよい。
【００６６】
上記に言及した何れの方法も、LTEに基づく無線通信システムに適用できる。この場合、送信器は基地局であってよく、受信器は、LTEに基づく無線通信システムにおける端末であってよい。制御メッセージはダウンリンク制御情報（DCI）であってよく、シーケンス情報はダウンリンク割り当てインデックス（DAI）であってよい。
【００６７】
特に、本発明の実施の形態は、LTE TDDに有利に適用できる。しかし、本発明の実施の形態は、LTE FDDまたは混合TDD/FDD実現形態に適用できるとも考えられる。
【００６８】
本発明の実施の形態は、シーケンスにおける制御メッセージの総数が送信器において予め分かっている場合に、制御メッセージのシーケンスを送信し、シーケンス番号が連続する制御メッセージの間で異なり、制御メッセージのシーケンスのそれぞれと関連付けられるシーケンス番号の二つ以上が、シーケンスにおける制御メッセージの総数により決まる場合に、複数の可能なシーケンス番号からのシーケンス番号を、制御メッセージのシーケンスのそれぞれと関連付けるという考えに基づいている。
【００６９】
本発明は、LTEへの特定の（しかし、排他的でない）適用であり、例えば、DCIとDAIに適用可能である。つまり、導入部で記述した以前に提案されたソリューションの代わりに、本発明の一実施の形態は、DAI機構を、ACK/NACKを単一のサブフレームにおいて複数のサブフレームから送信するときに適用されるように適合し、同じ機構を、ＣＡにおいて周波数ドメインのＤＬ割り当てのシーケンスに直接適用して、ＵＥが、送るべきACK/NACKビット数を決定するときに、紛失DCIメッセージを検出して、それを考慮することを可能とする。
【００７０】
本発明の他の実施の形態は、（上記の考えに加えて、または上記の考えの代わりに）シーケンスにおいて意図される制御メッセージの総数が、送信器において予め決定される場合は、制御メッセージのシーケンスを送信し、受信器が、制御メッセージのこの総数についての情報を、明示的な信号通知または参照により知ることを可能にするという考えに基づいている。
【００７１】
このため、本発明の第２態様によれば、無線通信方法が提供され、方法は、
送信器において、
シーケンスにおいて受信器に送信されると意図される制御メッセージであって、少なくとも一つの基準を満たす制御メッセージの数を決定し、
受信器に、決定された制御メッセージの数が偶数か奇数であるかを示すことを含む。
【００７２】
本発明の第３態様によれば、受信器に制御メッセージを送信するための無線送信器が提供され、送信器は、
少なくとも一つの基準を満たし、かつ、シーケンスにおける受信器への送信のための制御メッセージの数を決定し、
シーケンス情報をシーケンスにおける各制御メッセージと関連付け、シーケンス情報は連続する制御メッセージ間で異なるように構成され、
関連付けは、第１シーケンスにおいて制御メッセージと関連付けられている第１シーケンス情報が、第１シーケンスとは異なる制御メッセージ数を有する第２シーケンスにおいて制御メッセージと関連付けられている第２シーケンス情報から区別可能であるように制御メッセージの数を考慮する。
【００７３】
本発明の第４態様によれば、無線受信器が提供され、受信器は、
送信器から、少なくとも一つの基準を満たし、かつ、シーケンスにおいて受信器へ送信される制御メッセージの数を受信するように構成され、
シーケンス情報がシーケンスにおける各制御メッセージと関連付けられ、シーケンス情報は連続する制御メッセージ間で異なり、
制御メッセージとのシーケンス情報の関連付けは、第１シーケンスにおいて制御メッセージと関連付けられている第１シーケンス情報が、第１シーケンスとは異なる制御メッセージ数を有する第２シーケンスにおいて制御メッセージと関連付けられている第２シーケンス情報から区別可能であるように、制御メッセージの数を考慮する。
【００７４】
この受信器は、シーケンスにおいて各制御メッセージと関連付けられているシーケンス情報の値のリストを形成し、リストが、偶数個または奇数個の制御メッセージと関連付けられている数列に従っているかどうかを識別し、制御メッセージの数が偶数か奇数かを識別し、識別の結果に基づいて、確認応答メッセージを送信器に送るために更に構成することができる。
【００７５】
更に、受信器は追加的に、数列に基づいて、値がリストから紛失しているかどうかを確認し、リストに任意の紛失値を挿入し、識別において、数列が制御メッセージの数と一致しない場合は、リストの最後に値を追加するように構成でき、挿入または追加される値は、検出されない制御メッセージを表している。
【００７６】
本発明の第５態様によれば、上記に定義した送信器と受信器を備える無線通信システムが提供される。
【００７７】
更なる態様は、プロセッサを搭載したトランシーバ機器が、上記に定義したような送信器（例えば、基地局）または受信器（例えば、端末）を提供することを可能にするソフトウェアに関する。そのようなソフトウェアは、コンピュータ読み取り可能媒体上に記録できる。
【００７８】
すでに記述したように、上記の制御メッセージは、所与のサブフレームにおいて、幾つかの、またはすべての起動されたキャリア周波数上で送信されるパケットに関するダウンリンク制御情報（DCI）メッセージであってよく、連続する制御メッセージにおけるシーケンス情報は、ダウンリンク割り当てインディケータ（DAI）であってよい。このため、本発明の実施の形態は、LTEのようなシステムにおいて、例えば、２ビットのシーケンス番号の形状のDAIを、これらのDCIメッセージのそれぞれに添付することを含む。シーケンス番号は、所与のサブフレームにおいて送信されるDCIメッセージの総数が偶数か奇数によって、送信される各DCIに対して増加または減少される。つまり、シーケンス番号は、偶数個の制御メッセージに対しては増加され、奇数個の制御メッセージに対しては減少される（または、その逆）。
【００７９】
本発明は、任意の三つの連続するDCI（シーケンスにおける最後のDCIは含まない）の紛失の検出を可能にする。先行技術に対する具体的な改良は、シーケンスにおける最後のDCIの紛失も、これ以上のビットを追加することなく検出可能であるということである。これにより、送信されるDCIメッセージの数に関しての送信器と受信器との間の、より正確且つ信頼性のある共通理解が可能になる。これは、DCIメッセージの検出に失敗する最も起こり易いケースが検出可能で、ｅＮＢに通知可能で、補正可能であるので、例えば、DCIメッセージに関するACK/NACK情報の送信のフォーマットが、送信されるメッセージの数により決まる場合に有益である。
【００８０】
このようにして、LTEにおいてDCIに適用されると、本発明は、幾つのDCI（および対応するトランスポートブロック）が紛失したかについてのＵＥの認識を改良することにより、ＵＥが、受信したDCIをより良好に使用することを可能にする。
【００８１】
一般的には、そして、反対の立場への明確な意図がない限り、本発明の一つの態様に関して記述された特徴は、任意の他の態様に、および任意の組み合わせにおいて、たとえ、そのような組み合わせがここにおいて明示的に言及または記述されなくても等しく適用できる。
【００８２】
前述したことから明白なように、本発明は、無線通信システムにおける、送信器と受信器との間の信号送信を含んでいる。典型的には、しかし、必ずしも排他的とは限らないが、送信器は基地局機器であり、受信器は端末である。「基地局機器」という用語は、例えば、ｅＮＢ１１が別個の基地局２１から２ｎを制御する図１に示されている配置を含むことが可能な、一つ以上の基地局を提供、または少なくとも、その一つ以上の基地局を制御する機器のことである。基地局機器は通常は、3GPP LTEおよび3GPP LTE-A標準グループにおける実現形態に対して提案された形状を取り、従って、異なる状況においては適切なようにｅＮＢ（この用語は、Home eNBまたはHeNBもまた含む）を含むことができる。しかし、本発明の機能的な必要条件によっては、基地局機器は端末に信号を送信し、端末から信号を受信するために任意の適切な他の形状を取ることができる。
【００８３】
同様に、本発明において各端末は、基地局機器から信号を受信し、基地局機器へ信号を送信するために適切な任意の形状を取ることができる。例えば、端末は、加入者局（ＳＳ）、または移動局（ＭＳ）、または任意の他の適切な位置固定または移動可能な形状を取ることができる。本発明を視覚化する目的のために、端末を移動ハンドセット（そして、多くの例では、端末の少なくとも幾つかは、移動ハンドセットを備えている）を想像すること都合がよいが、これにより、如何なる制限をも意味されない。
【図面の簡単な説明】
【００８４】
例としてのみの手段として、付随する図面を参照する。
【図１】キャリアアグリゲーション（ＣＡ）を採用している無線通信システムの例示図である。
【図２】LTEにおける複数のプロトコル層のそれぞれにおけるチャネルの例示図である。
【図３】LTE物理チャネルがどのようにしてPCellとSCellに割り当てられるかを示す図である。
【図４】本発明の実施の形態における、送信器において行われるプロセスのフローチャートである。
【図５】本発明の実施の形態における、受信器において行われるプロセスのフローチャートである。
【図６】本発明の実施の形態において採用できる端末（ＵＥ）の機能ブロックの例示図でる。
【図７】本発明の実施の形態において採用できる基地局機器（ｅＮＢ）の機能ブロックの例示図である。
【発明を実施するための形態】
【００８５】
導入部から、最も関連する特徴の幾つかをまとめると、ＵＥは、そのＵＥに対して起動された任意のＣＣに関するＤＬ割り当てを受信可能である。ＤＬ割り当ては、DCIメッセージによりＵＥへ搬送される。各DCIは、PDCCHまたはEPDDCH上で送信され、特定のＣＣを介して送信された、PDSCH上の一つ以上のトランスポートブロックの存在を示している。ＵＥは、DCIメッセージを介して通知された各受信したトランスポートブロックに対するACK/NACKを送る。しかし、LTE TDDにおいては、同じＣＣに関する複数のサブフレームのACK/NACKを、一つのサブフレームにおいて利用可能なビット数内に収めるために、「バンドリング」が必要である。バンドリングの場合に送られるACK/NACKは、ｅＮＢによりＵＥに対して通知されるダウンリンク割り当て情報（DAI）により部分的に支配される。
【００８６】
既存のＤＡＩは、ＤＬ割り当てがＵＥに送信される場合に、サブフレームにおいて増加される単一のＣＣに対するシーケンス番号と見なすことが可能である。DAI値は、DCIに含まれている。
【表１】
2017028696.tif 000003
【００８７】
例として、所与のサブフレームのセットにおいて、ＵＥが、所与のキャリアに関して、ＤＡＩ値のシーケンス[0,1,2,0,1]を受信したとすると、ＵＥは、少なくとも一つのDCIが紛失したと推測可能である。送られた可能性がある、最も短い可能な送信されたシーケンスは[0,1,2,3,0,1]である。一般的には、ＵＥは三つまでの連続する紛失DCIの任意のシーケンスを検出および補正可能である。特殊なケースは、シーケンスの最後のDCIが紛失する場合（表１において、「Ｘ」で示されている）であり、ＵＥはこれを識別することが可能ではない。ＵＥもまた、経過したサブフレームの数を知っており、この情報は補正プロセスにおける支援となることが可能であるが、簡略化のため、この態様は上記の例では考慮されないということに留意されたい。
【００８８】
DCIメッセージの検出に失敗する確率は、一定であり、かつ、サブフレームとＣＣとの間の、一様で相互に相関されていない何れかのプロセスに対応すると仮定すると、確率を、典型的な設計仮定として、p=0.01のような値とすることが可能である。そして、シーケンスにおいて最後のDCIのみの紛失が起こる確率もまた約ｐであると近似可能である（これを説明すると、それぞれがDCIを有する四つのサブフレームに対して、三つの正しいDCIの後に一つの紛失DCIが続く確率は、P=(1-p)(1-p)(1-p)p=0.99×0.99×0.99×0.01であり、これは約0.01である）。
【００８９】
このケースは、紛失DCIが最も小さい数の補正が可能でないパターンである。他のすべての補正が可能でないパターンは、より多くの紛失DCIを含んでおり、そのため起こる可能性は遥かに低い。このため、所与のDCIのシーケンスが一つ以上の紛失DCIを有し、補正が可能でない確率もまた約ｐ（つまり、約0.01）である。
【００９０】
ここでは、少なくともＤＬ割り当ての正しい数が識別可能である場合（何れの割り当てが紛失したかを正確には推測することが可能ではなくとも）は、紛失DCIのパターンを「補正可能」と考えるということに留意されたい。紛失DCIは、ｅＮＢにこの問題を通知可能であり、問題のDCIの再送信を可能にするという意味において、紛失DCIは補正可能であるということは理解されるであろう。
【００９１】
シーケンスにおける最後のDCIの紛失を検出する機構が、２０１５年５月２５日から２９日の、日本の福岡における3GPP TSG-RAN WG1会議＃８１において、CATTにより、３２個のＣＣまでの3GPP R1-152569 HARQ-ACK送信において提案されている。
【００９２】
追加的なビットがDAIフィールドに追加され、時間ドメインシーケンスにおける最後のDCIに対して「１」に設定される（または「０」に設定される）。これは問題を解決するが、一つのDCI当たりのオーバーヘッドの追加的ビットが発生する。
【００９３】
本発明は、LTE CAにおいては、サブフレームにおいて異なるＣＣ上でＵＥに送信されるDCIの総数は、送信器において分かっているという認識に基づいている。この情報は、特に（しかし必ずしも排他的ではなく）複数のキャリアのTDDに対しては、DAI方式のロバスト性を改良するために使用可能である。対照的に、時間ドメインにおける連続するサブフレームで送信されるパケット（つまり、対応するDCIがあるが、DCIとは異なるチャネル上で送られるトランスポートブロック）の数は、必ずしも予め分かっているとは限らない。
【００９４】
先行技術においては、所与のDCIにおけるDAI値は、前のDCIメッセージにおけるDAIにより決まる。
【００９５】
本発明においては、ＤＡＩ値もまた、DCIメッセージのシーケンス（現在のLTEにおいては、これは、サブフレームにおけるDCIに関する）におけるDCIメッセージの総数に依存する。このため、一般的には、周波数ドメインにおいて連続するDCIに添付されるDAI値のシーケンスは、そのサブフレームにおいてＵＥに送信されるDCIの数により決まる。ここで、DCIが周波数ドメインにおいて連続しているかどうかは、DCIが関係するリソース（例えば、ＣＣ）に関係し、送信されるDCI自身の周波数関係と同じであっても同じでなくてもよいということに留意されたい。より一般的には、順序は、ＵＥとｅＮＢが順序についての共通の理解を有しているならば、周波数に関しての順序である必要はない。
【００９６】
送信器（基地局）において行われるような基本的プロセスは、図４に示されている。
【００９７】
ステップＳ１００は、ＵＥに対して構成された複数のＣＣを使用して、所与のサブフレームにおいて所与のＵＥに対してダウンリンクのスケジューリングを行うステップである。
【００９８】
Ｓ１０２において基地局は、ＵＥにＤＬ割り当てを通知するためには合計幾つのDCI（制御メッセージ）が必要であるかを決定する。
【００９９】
Ｓ１０４は、決定されたばかりのDCIの総数に基づいて、および下記の種々の実施の形態において記述される方法の何れかで、各DCIに対するシーケンス番号を計算することである。
【０１００】
ステップＳ１０６において基地局は、シーケンス番号をDCIに添付し、結果としての制御メッセージをＵＥに送信する。このプロセスは次のサブフレームに対して繰り返され、基地局は何れのＣＣ上においてもＵＥに対するＤＬ割り当てを有することになる。
第１の実施の形態
【０１０１】
第１の実施の形態は、２ビットのＤＡＩフィールドが各DCIに含まれるLTEに基づいている。DCIが送信される対象の、順に並べられたキャリアのセット（DCIが送信されるキャリアのセットと同じであってもよいが、その必要はない）に対しては、DAIフィールドは、DCIの総数が偶数のときは、第１キャリア上のDCIに対してはゼロが設定され、連続するDCIに対して増加され、DCIの総数が奇数のときは減少される（または、変形例においてはその逆）。キャリアのセットの順序は周波数に基づくことができるが、これは必要不可欠なことではない。これは、四つ以上のDCIのシーケンスに対して紛失DCIを検出するときに有効である。
【０１０２】
第１の実施の形態に対するDAIシーケンスの幾つかの例が表２に示されている。上記の表１とは対照的に、キャリアのセットであり、ここでは一つのみではないキャリアが考慮されているということが分かるであろう。
【表２】
2017028696.tif 000004
【０１０３】
この場合、紛失DCI数が最も少ない補正不能なパターンは、シーケンスにおける最後の二つのDCIが紛失したときに起こる。他のすべての補正不能なパターンは、これより多くのDCIを含んでおり、可能性は遥かに低い。表１に戻ってみると、一つのDCIメッセージの検出に失敗する確率pは0.01と仮定されている。このため、DCIの所与のシーケンスが二つ以上の紛失DCIを有し、補正が可能でない確率もまた約ｐ2（つまり約0.0001）である。
【０１０４】
図５は、本実施の形態においてＵＥで行われるステップのフローチャートを示している。ステップＳ２００において、ＵＥは、DCIが２ビットDAI値の形式で添付されたシーケンス情報を有している制御メッセージを基地局から受信し、DAI値のリストを対応する検出されたDCIから得る。ＵＥは、リストにおけるシーケンスから何れかのＤＡＩ値が紛失しているかどうかを確認し、これはＵＥが、DAI値を表２におけるシーケンスと比較することにより判定可能である。紛失しているDAI値がないと分かると（Ｓ２００、ＮＯ）は、ＵＥはステップＳ２０４に進む。紛失しているDAI値が検出されると、Ｓ２０２においてＵＥは、紛失しているDAI値、または複数の紛失しているDAI値をリストに追加する。ステップＳ２０４においてＵＥは、DAI値の数列が増加（減少）しているかどうかを確認する。増加している場合（Ｓ２０４、ＹＥＳ）は、ＵＥはＳ２０６において、リストの中のDAI値の数は偶数かどうかを確認する。後者の場合（Ｓ２０４、ＮＯ）は、ＵＥはステップＳ２０８において、リストの中のDAI値の数は奇数かどうかを確認する。Ｓ２０６とＳ２０８において確認が肯定的（ＹＥＳ）である場合（実際に、ＤＡＩ値の数は偶数の場合と奇数の場合がそれぞれある）は、フローはステップＳ２１２に進む。そうでない場合（Ｓ２０６、ＮＯまたはＳ２０８、ＹＥＳ）はＵＥは、Ｓ２１２に進む前にステップＳ２１０においてDAI値のリストの最後にDAI値を追加する。ステップＳ２１２においてＵＥは、検出されたDCIとDAI値のリスト（検出されていないDCIに対応する、シーケンスから紛失しているDAIを含む）を考慮して、適切なACK/NACKをｅＮＢに送る。ステップＳ２１４においてＵＥは、ACK/NACKの新しいセットの送信が必要となるまで待ち、そしてプロセスは最初に戻る。
【０１０５】
上記の手順においては、紛失している値がリストに追加されるときに、それらの値に何らかの方法でマークを付けることが可能であり、それにより、実際に受信されたDAIを、紛失していると検出されたDAIから区別することが可能であるということに留意すべきである。
【０１０６】
本実施の形態の一つの変形例においてＵＥは、ＵＥが検出されていないと推定するDCIによりスケジューリングされるとＵＥにより仮定される各トランスポートブロックに対してNACKを送る。ｅＮＢとＵＥが共通の理解を有するために、ＵＥは、ＵＥの構成に従って一つのDCI当たりスケジューリング可能なトランスポートブロックの最大数に等しい、一つのDCI（検出された、またはされていない）当たり送られるACK/NACKビット数を仮定できる。LTEに対しては、この最大値は２までの数であってよい。
【０１０７】
本実施の形態の別の変形例においては、何れかのDCIが紛失していると分かったときは、ＵＥはACK/NACKメッセージを完全に取りやめることができる。DCIが紛失したということは検出可能であるが、幾つが紛失したかを信頼性を有して推定可能でない場合のようなエラーケースにおいてもまた、ＵＥはACK/NACKメッセージを取りやめることができる。
第２の実施の形態
【０１０８】
第２の実施の形態は、DAIを構成する２ビットが別々に扱われるということ以外は第１の実施の形態に類似している。最上位ビットはシーケンス(0,0,1,1,0,0,1,1,0,0...)に従うが、最下位ビットは、DCIのシーケンスにおける最後のDCIに対するビットの値が常に「１」であるような交互シーケンスに従う。実際にはこれは、ｅＮＢがシーケンスにおいてどれが最後のDCIであるかを決定することと、第２ビットを「１」に設定して、シーケンスにおける各先行するDCIに対して第２ビットを設定する逆方向の作業をすることを含んでいる。
【表３】
2017028696.tif 000005
第３の実施の形態
【０１０９】
第３の実施の形態は第１の実施の形態に類似しているが、より一般的に、DAI値は
DAI(i)=f(i,c) mod n
で与えられ、ここにおいて
iは、DCIのシーケンスにおけるDCIを識別し、
cは、シーケンスにおけるDCIの総数であり、
f(i,c)は、iとcとの関数であり、
nは、異なるDAI値の数である。
【０１１０】
第１の実施の形態に対しては、f(i,c)=i*(2*(c mod 2)-1)である。
【０１１１】
第２の実施の形態に対しては、f(i,c)=i*(2*(c mod 2)-1)+c mod 2である。
第４の実施の形態
【０１１２】
第４の実施の形態は第１の実施の形態に類似しているが、複数のサブフレームに対するACK/NACKは、一つのサブフレームにおいて送信される場合に適合されている。この場合においては、DCIによりスケジューリングされるPDSCHを持つ各連続するサブフレームにおいて、ＤＬ割り当てを持つ第１ＣＣに対するDAIは、前のサブフレームにおける値に関して増加される（単一キャリアに対する先行技術に類似している）。所与のサブフレームにおける連続するＣＣに対するDAIもまた、そのサブフレームにおいて割り当てられたＣＣの総数に応じて、増加または減少される。最初のスケジューリングされたＣＣに対する第１サブフレームにおけるDAIの初期値は所定の値（例えば、ゼロ）に設定されるべきで、それにより、送信器と受信器が共通の理解を有する。
【表４】
2017028696.tif 000006
【０１１３】
表４の例においては、何れか一つのＤＬ割り当てが紛失しても、これは識別可能である（サブフレーム５におけるＣＣ２に対する割り当てを除く）。
第５の実施の形態
【０１１４】
第５の実施の形態は、受信器は、DCIの連続するサブフレームの総数が偶数か奇数であるかを、明示的な信号通知により通知を受けるということ以外は第４の実施の形態に類似している。信号通知は、より上位の層（つまり、LTEにおけるRRCまたはMAC信号通知）によってもよく、または物理層信号通知（例えば、DCIにおいて）であってよい。送信されたDCIの連続するサブフレームの数が信号通知に従っている場合は、最後のDCIを紛失すると、サブフレームの数を奇数から偶数へ（またはその逆）に変えてしまうので、最後のサブフレームにおけるDCIが紛失したか否かを検出可能である。DCIの連続するサブフレームの数が信号通知に従っていない場合（例えば、送信器が最後の瞬間において異なるスケジューリング方式を選択する場合）であって、最後のサブフレームにおけるDCIが受信される場合は、受信器はDCIの追加的サブフレームがあったはずであると推定し、適切な応答は、このサブフレームに対して追加的ＮＡＣＫを送信することである。これは、ACK/NACKメッセージの受信に対するそのような応答は予期可能であるので、大きな問題とはならない。このため、DCI（または特定のタイプのDCI）を含むサブフレームの数に関して受信器に提供される何れの情報も、ACK/NACKメッセージの内容を決定することのような、後続処理において使用される仮定として扱うことが可能である。
第６の実施の形態
【０１１５】
第６の実施の形態は、DCIの連続するサブフレームの総数が偶数か奇数であるかが明示的に示されるということ以外は第５の実施の形態に類似している。例えば、LTE TDDにおいては、これは、所与のキャリア上のサブフレーム構成（つまり、フレームにおける何れのサブフレームがアップリンクに対して割り当てられ、何れがダウンリンクに対して割り当てられるか）により決定可能である。幾つかのサブフレーム構成を、DCIを含んでいるサブフレームの奇数個と関連付け、他のサブフレーム構成を、DCIを含んでいるサブフレームの偶数個と関連付け、および、更に他のサブフレーム構成を、DCIを含んでいるサブフレームの特定の数と関連付けないことが可能である。
【０１１６】
代替的に、如何なる所与のACK/NACKメッセージに対しても、ACK/NACKメッセージが応答を搬送する対象のDCIを含んでいるサブフレームの数を、そのようなサブフレームの最大可能数が奇数または偶数かどうかに従って、受信器により奇数または偶数と仮定可能である。
【０１１７】
第５および第６の実施の形態は、キャリアアグリゲーションなしのTDDに対して適用可能であるということに留意すべきである。これらの実施の形態の変形例を、受信器に提供される情報が、周波数ドメインにおける連続するキャリア上のDCIのシーケンスにおけるDCIの数についてである場合に、キャリアアグリゲーションに適用可能である。また、第５および第６の実施の形態は、他の実施の形態に加えて、または他の実施の形態とは独立して適用可能である。
【０１１８】
第４の実施の形態に追加して使用されるときは、表４における例を依然として適用可能であるが、適切な信号通知により、ＵＥは、例えば、サブフレーム５におけるすべてが紛失しても識別可能である。
【０１１９】
図６は、本発明を適用できるＵＥ１の例を例示しているブロック図である。ＵＥ１は、上記の無線通信システムにおいて使用できる装置の何れのタイプも含むことができ、携帯電話（スマートフォンを含む）、移動通信機能を有している個人情報端末（ＰＤＡ）、移動通信機能を有しているラップトップまたはコンピュータシステム、および／または無線通信動作が可能な何れの装置をも含むことができる。ＵＥ１は、少なくとも一つのアンテナ８０２に接続されている送信器／受信器ユニット８０４（この両者で通信ユニットを規定している）と、記憶媒体８０８の形式のメモリへのアクセスを有しているコントローラ８０６を含んでいる。コントローラ８０６は例えば、マイクロプロセッサ、デジタル信号プロセッサ（DSP）、特定用途向け集積回路（ASIC）、フィールドプログラマブルゲートアレイ（FPGA）、または、上記の種々の機能、例えば、図５に示されている方法で、紛失ＤＡＩ値を検出および識別する機能を行うようにプログラムまたは構成されている他の論理回路であってよい。例えば、上記の種々の機能は、記憶媒体８０８に格納され、コントローラ８０６により実行されるコンピュータプログラムの形状で具現化できる。送信／受信ユニット８０４はコントローラ８０６の制御のもとで、セルから制御メッセージを受信し、ACK/NACKを送るなど、以前に検討されたようなことを行うために配置される。
【０１２０】
図７は、ｅＮＢ１１および、上記で言及した（そして、高速中継回線により、何れかの他の基地局に接続されている）基地局２１、２２、．．．２ｎの少なくとも一つとしての使用に適している機器の例を例示しているブロック図である。この機器は、少なくとも一つのアンテナ９０２に接続されている送信器／受信器ユニット９０４（この両者で通信ユニットを画定している）とコントローラ９０６を含んでいる。コントローラは例えば、マイクロプロセッサ、DSP、ASIC、FPGA、または、各ＵＥに対するＤＬ割り当てのスケジューリングを行うこと、そしてそれに相応して、表２から４に示されているＤＡＩ値のようなシーケンス情報を形成することを含む、DCIを構築することを含む、上記の種々の機能を行うようにプログラムまたは構成されている他の論理回路であってよい。例えば、上記の種々の機能は、記憶媒体９０８に格納され、コントローラ９０６により実行されるコンピュータプログラムの形状で具現化できる。送信／受信ユニット９０４はコントローラ９０６の制御のもとで、制御メッセージの送信などに対して責任がある。コントローラ９０６は、図１における２１のような何れの統合基地局を管理するばかりでなく、基地局機器により直接は制御されていない何れの別個の基地局も管理する。
【０１２１】
このため、要約すると、本発明の実施の形態は、LTEのようなシステムにおいて、２ビットのシーケンス番号またはダウンリンク割り当てインディケータ（DAI）を、所与のサブフレームにおける起動されたキャリア周波数の幾つか、またはすべてで送信されるパケットに関するダウンリンク制御情報（DCI）メッセージに添付可能であるということを提供できる。シーケンス番号は、所与のサブフレームにおいて送信されるDCIメッセージの総数が偶数か奇数によって、各送信されるDCIに対して増加または減少される。
【０１２２】
DAI値の受信したシーケンスは、DCIメッセージの誤った検出（例えば、何も送信されていないのにＵＥによりDCIメッセージが検出されるとき）の少なくとも幾つかのケースを検出するために使用可能である。例えば、シーケンスに適合しないＤＡＩを有するDCIが受信されると、そのDCIを拒絶可能である。
【０１２３】
種々の修正が、本発明の範囲内で可能である。
【０１２４】
本発明は２ビットのDAIに制限されず、３ビット以上のDAIにも適用可能である。同様に、本発明は例としてのケース、または表２から４に示されているシーケンス長に制限されない。
【０１２５】
実施の形態をDCIに関して記述してきたが、これが唯一の可能性ではない。より一般的には、本発明は何れの特定のタイプの制御メッセージ、言い換えれば、
定義された時間ウインドウ内で送信される、
定義された時間ウインドウ内で受信される、
ダウンリンクスケジューリングに対してである、
特定のメッセージフォーマットで送信される、
特定のチャネルを介して送信される
というような一つ以上の基準を共有する制御メッセージに適用可能である。
【０１２６】
上記の実施の形態と変形例の何れも、同じシステムにおいて組み合わせることができる。上記の記述は、LTEとLTE-Aに関してなされたが、本発明は他の種類の無線通信システムにも適用できる。従って、請求項における「端末」への言及は、何れの種類の加入者局、移動装置、MTC装置などをカバーすることが意図されており、LTEのＵＥに制限されない。
【０１２７】
上記の本発明の態様または実施の形態の何れにおいても、種々の特徴を、ハードウェアにおいて、または一つ以上のプロセッサ上で作動するソフトウェアモジュールとして実現できる。一つの態様の特徴は、他の態様の何れにも適用できる。
【０１２８】
本発明はまた、ここにおいて記述された方法の何れをも実行するためのコンピュータプログラムまたはコンピュータプログラム製品、および、ここにおいて記述された方法の何れをも実行するためのプログラムを格納しているコンピュータ読み取り可能媒体も提供する。
【０１２９】
本発明を具現化するコンピュータプログラムは、コンピュータ読み取り可能媒体に格納でき、または、例えば、インターネットウェブサイトから提供されるダウンロード可能なデータ信号のような信号の形状であってよく、または任意の他の形状であってよい。
【０１３０】
請求項の範囲から逸脱することなく、ここで記述された特定の実施の形態に対して、種々の変更および／または修正を行うことができるということを理解されたい。
【産業上の利用可能性】
【０１３１】
DCIのような制御メッセージのシーケンスが、送信器と受信器との間で送られる無線通信システムにおいては、本発明の実施の形態は、三つまでの連続する制御メッセージ（最後の二つまたは三つのメッセージは含まない）の何れの紛失も検出することを可能にする。先行技術に対する具体的な改良は、シーケンスにおける最後のメッセージ（DCI）の紛失もまた、従来技術で要求されるより多くのビットを追加することなく検出可能であるということである。これにより、送信される制御メッセージの数に関しての、送信器と受信器との間のより正確且つ信頼性のある共通理解が可能となる。これは、制御メッセージの検出に失敗する最も起こり易いケースはすべて検出および補正可能であるので、例えば、メッセージに関するACK/NACK情報の送信フォーマットが、送信されるメッセージの数により決まるときに有益である。
【図１】
2017028696.tif 000007
【図２】
2017028696.tif 000008
【図３】
2017028696.tif 000009
【図４】
2017028696.tif 000010
【図５】
2017028696.tif 000011
【図６】
2017028696.tif 000012
【図７】
2017028696.tif 000013